(57)【要約】【課題】  特定の専用設備に依存せず、また操作の習熟度を必要とせずに精細な画像を持つ縮小画像を生成する保存用データ生成システムを提供する。【解決手段】  画像読取装置が読み取った画像の単位画素と、印刷装置が印刷出力する単位画素とを対応させて印刷出力を実行することによって、可視的な保存用データを生成する。【選択図】            図１
2005051480.tif 000002
【特許請求の範囲】
【請求項１】
保存用データ生成システムにおいて、
画像読取装置が読み取った画像の単位画素と、印刷装置が印刷出力する単位画素とを対応させて印刷出力を実行することによって、可視的な保存用データを生成することを特徴とする、
保存用データ生成システム。
【請求項２】
前記の保存用データ生成システムにおいて、
保存用データの印刷出力に供する画像縮小率を設定し、
印刷装置の印刷解像度を調査して、前記の印刷解像度に適合する画像読取装置の読取解像度を画像読取装置に設定することを特徴とする、
請求項１に記載の保存用データ生成システム。
【請求項３】
前記の保存用データ生成システムにおいて、
印刷装置の印刷解像度を調査し、
画像読取装置の読取解像度を調査して、印刷出力される保存用データに係る縮小率およびその配列位置を設定することを特徴とする、
請求項１に記載の保存用データ生成システム。
【発明の詳細な説明】
【技術分野】
【０００１】
この発明は、各種書類による情報の効率的な保管管理に供する保存用データ生成システムに関するものであり、特に画像読取装置が読み取った画像データから印刷装置による高精細度縮小印刷によって可視的な保存用データを生成する保存用データ生成システムに関するものである。
【背景技術】
【０００２】
従来より、たとえば印刷出力された文書に署名捺印を追加するなど、書類として調整された情報を長期間保存する方式として、次に挙げるものがある。
【０００３】
第１の方式として、前記の書類の現物を保存するという方式が挙げられる。当該保存方式は発生した書類をそのままの形態で保存するので、保存方式としては最も原理的で基本的な方式であるといえる。
【０００４】
しかしながら、書類の現物はその大きさが不ぞろいであることが多く、殊に小さなサイズの書類が大きいサイズの書類の間に挟まったりすると後日の検索が不可能となる例がある。
【０００５】
また保存の対象とする情報は累積するので、その保存量は時間の経過とともに膨張し、必要な保管スペースが増大する。
【０００６】
第２の方式として、前記のオリジナルな書類をマイクロフィルムに収録するという方式が挙げられる。当該保存方式は書類をカメラ等で撮影してマイクロフィルムに焼き付けて記録するので、個別の書類のサイズが統一されてマイクロフイルムという共通の媒体に収納され、同一の条件によって検索が行なわれるので、特に小さいサイズの書類でも行方不明になるということがない。
【０００７】
したがってマイクロフイルムのサイズはオリジナルな書類にくらべて小さいので、データの保存に要するスペースは小さくてすむ。
【０００８】
しかしながら、書類をマイクロフィルムに収録するためには専用の撮影機材および現像処理機材等を必要とし、同時に撮影実施者には専門の知識及び技能が必要となる。さらにはマイクロフイルムの保存は温湿度等の環境からの影響に対する配慮が必要であり、定期的な保守作業を必要とする。
【０００９】
第３の方式として、前記のオリジナルな書類を電子データで保存するという方式が挙げられる。当該保存方式は対象とするデータを生成する文書作成システムあるいはＣＡＤシステム等で作成した電子データをそのまま磁気記録方式等によって保存し、必要時に出力して用いるというものである。
【００１０】
この方式で保存する電子データは保存に要するスペースは小さくてすむが、当該書類はあくまでも下書き的な性格のデータであり、たとえば契約書等に見られるごとく書名捺印等の追加部分によって完成した書類、あるいは手書きの書類に見られるごとく当初から電子データによらない書類は対象から外される。
【００１１】
さらには当該電子データ自体が、データ生成時のシステムの仕様やプログラムに依存する。したがってこの方式で保存する電子データは、データ保存と並行してデータ作成に供した全ての種類のシステムあるいはプログラムを保存しておかなければ、後日の検索が不可能になるという危険性がある。
【００１２】
第４の方式として、前記のオリジナルな書類を光学的に読み取り、電子データに変換して保存するという方式が挙げられる。当該保存方式は電子的に生成されたデータも、電子的な方式に依存しないデータも等しく一旦は画像データの形態に統合し、前記の画像データを光学的に読み取って電子データに変換するので、全ての保存用データが統合した方式のもとでの取り扱い可能となる。
【００１３】
しかしながら当該保存用データ自体が電子データであるということは、前記の保存用データの内容は閲覧用装置機器及び閲覧用のプログラムによってのみ閲覧可能であるということである。したがってこの方式で保存する電子データも、データの保存と並行して前記の保存用データ作成に供した全ての種類のシステムあるいはプログラムを保存しておかなければ、後日の検索が不可能になるという危険性が残る。
【００１４】
前記の保存用データ作成に関し、種々の改良が試みられてきた。たとえば前述の第４の方式による電子データにより保存用データを持つ方式と第２の方式によるマイクロフィルムにより保存用データを持つ方式を加味した方式が提案されている（特許文献１および２を参照）。
【００１５】
【特許文献１】特開平６−２８９４９４号公報
【特許文献２】特開２００２−１１１９３１号公報
【００１６】
前記の応用例に見られるごとく、マイクロフィルムは直接に可視的であり特定のシステムやプログラム等に依存しない点で閲覧性が高く、保存用データとして優れた点を持っている。
【００１７】
当然のことながら、コンピュータと画像読取装置および印刷装置を接続させ、前記の画像読取装置がオリジナルな書類を光学的に読み取り、電子データに変換して印刷装置に縮小印刷を行なわせる方式でマイクロフィルムに代わる保存用データを生成するシステムを構築するという技術思想が芽生えて不思議ではない。
【００１８】
図４および図５に基づいて、従来の技術によるコンピュータシステムによって画像読取装置が読み取った画像データを印刷装置で縮小印刷を行なわせる過程を説明する。
【００１９】
図４は、従来の技術によるコンピュータシステムの構成を示すものである。読取機構部Ｂ６１を備える画像読取装置Ｂ０６はホスト装置Ｂ０５に接続して、前記の読取機構部Ｂ６１が生成する画像データをホスト装置Ｂ０５に提供する。
【００２０】
ホスト装置Ｂ０５に備える演算制御部Ｂ５３は、前記の画像読取装置Ｂ０６より提供を受けた画像データを基に印刷データを生成し、前記の印刷データを印刷装置Ｂ０７に転送する。
【００２１】
印刷装置Ｂ０７は、前記のホスト装置Ｂ０５より転送を受けた印刷データを基に印刷機構部Ｂ７１において印刷出力を実行する。
【００２２】
図５に示すフローチャートに基づいて、従来の技術によるコンピュータシステムが縮小印刷による印刷画面を出力する過程を説明する。フローの各ステップの説明に引用する符号は、前記の図４による。
【００２３】
ステップＳ５１で、ホスト装置Ｂ０５に備える演算制御部Ｂ５３はスキャナドライバＢ５１を介して画像読取装置Ｂ０６に画像読み取りを指示する。
【００２４】
ステップＳ５２で画像読取装置Ｂ０６に備える読取機構部Ｂ６１は画像読取を実行し、ステップＳ５３に進んで読取出力より画像データを生成し、ステップＳ５４に進んで前記の画像データをホスト装置Ｂ０５に転送する。
【００２５】
ステップＳ５５で、ホスト装置Ｂ０５に備える演算制御部Ｂ５３は印刷出力に供する画像サイズを設定する。すなわちここで設定する画像サイズによる画像は、先に画像読取装置が読み取った画像の縮小画像として設定するものである。
【００２６】
ステップＳ５６で、演算制御部Ｂ５３は前記の縮小された画像サイズによる印刷データを生成する。前記の縮小された画像サイズによる印刷データの生成は、主として画像データ（画素）の間引きによって行なう。
【００２７】
ステップＳ５７で、演算制御部Ｂ５３はプリンタドライバＢ５２を介して前記の印刷データを印刷装置Ｂ０７に転送する。
【００２８】
ステップＳ５８で、印刷装置Ｂ０７は印刷機構部Ｂ７１において前記の印刷データを用いて印刷出力を実行する。
【００２９】
前記の出力された画像は前記の画像読み取り装置が読み取った画像の縮小画像であるが、その印刷データ生成の過程で述べたごとく、主として画像データ（画素）の間引きによって生成された縮小画像なので詳細を解読するレベルには無い。したがって当該縮小画像はたとえばサムネイル画像等としての用途には耐えても、マイクロフィルムに代えて適用する画質に到達することは不可能である。
【発明の開示】
【発明が解決しようとする課題】
【００３０】
前記のごとく、書類として調整された情報を長期間保存する方式として、マイクロフィルムにより生成した縮小画像を保存する方式は優れた方式であることがわかる。
【００３１】
しかしながら、マイクロフィルムによる保存用データの生成は専用の設備と操作に習熟した担当者とを必要とする。
【００３２】
これより、この発明は、特定の専用設備に依存せず、また操作の習熟度を必要とせずに、直接に可視的であり閲覧が特定のシステムやプログラム等に依存しない、精細な画像を持つ縮小画像を生成する保存用データ生成システムを提供することを目的とする。
【課題を解決するための手段】
【００３３】
前記の問題を解決するために、この発明では次に示す手段を取った。
【００３４】
保存用データ生成システムにおいて、画像読取装置が読み取った画像の単位画素と、印刷装置が印刷出力する単位画素とを対応させて印刷出力を実行することによって、可視的な保存用データを生成する。
【００３５】
この手段をとることにより、当該保存用データ生成システムは個々の画像読取画素に対応した印刷出力画素を生成するという作用を得る。
【００３６】
前記の保存用データ生成システムにおいて、保存用データの印刷出力に供する画像縮小率を設定し、印刷装置の印刷解像度を調査して、前記の印刷解像度に適合する画像読取装置の読取解像度を画像読取装置に設定する。
【００３７】
この手段をとることにより、当該保存用データ生成システムはあらかじめ定める縮小率に合致した画像読取装置の読取解像度を設定して保存用データの印刷出力を実行するという作用を得る。
【００３８】
前記の保存用データ生成システムにおいて、印刷装置の印刷解像度を調査し、画像読取装置の読取解像度を調査して、印刷出力される保存用データに係る縮小率およびその配列位置を設定する。
【００３９】
この手段をとることにより、当該保存用データ生成システムは画像読取装置の読取解像度と印刷装置の印刷解像度とより算出した縮小率により保存用データの印刷出力を実行するという作用を得る。
【発明の効果】
【００４０】
この発明により、以下に示すような効果が期待できる。
【００４１】
保存用データ生成システムにおいて、画像読取装置が読み取った画像の単位画素と、印刷装置が印刷出力する単位画素とを対応させて印刷出力を実行することによって、可視的な保存用データを生成する。
【００４２】
この手段をとることにより、当該保存用データ生成システムは個々の画像読取画素に対応した印刷出力画素を生成するので、画像読取装置の読み取り解像度に等しい解像度の縮小画像を印刷出力するという効果を得る。
【００４３】
前記の保存用データ生成システムにおいて、保存用データの印刷出力に供する画像縮小率を設定し、印刷装置の印刷解像度を調査して、前記の印刷解像度に適合する画像読取装置の読取解像度を画像読取装置に設定する。
【００４４】
この手段をとることにより、当該保存用データ生成システムはあらかじめ定める縮小率に合致した画像読取装置の読取解像度を設定して保存用データの印刷出力を実行するので、画像読取装置の読み取り解像度に等しい解像度の縮小画像を印刷出力するという効果を得る。
【００４５】
前記の保存用データ生成システムにおいて、印刷装置の印刷解像度を調査し、画像読取装置の読取解像度を調査して、印刷出力される保存用データに係る縮小率およびその配列位置を設定する。
【００４６】
この手段をとることにより、当該保存用データ生成システムは画像読取装置の読取解像度と印刷装置の印刷解像度とより算出した縮小率により保存用データの印刷出力を実行するので、画像読取装置の読み取り解像度に等しい解像度の縮小画像を印刷出力するという効果を得る。
【発明を実施するための最良の形態】
【００４７】
図１ないし図３に基づいて、この発明を実施するための最良の形態を説明する。
【００４８】
図１は、この発明を実施するための最良の形態による保存用データ生成システムの構成を示すものである。図中に示すとおり、当該保存用データ生成システムの概略はホスト装置Ｂ０１と、前記のホスト装置Ｂ０１に接続する画像読み取り装置Ｂ０２および印刷装置Ｂ０３とによって構成する。
【００４９】
画像読み取り装置Ｂ０２は読取機構部Ｂ２１を持ち、解像度設定部Ｂ２２で設定した画素間隔に基づいて画像読み取りを行なった読み取り出力値より生成した画像データを、ホスト装置Ｂ０１に転送して提供する。
【００５０】
印刷装置Ｂ０３は印刷機構部Ｂ３１を持ち、解像度設定部Ｂ３２で設定して指示する画素間隔に基づいて印刷出力を実行する。
【００５１】
ホスト装置Ｂ０１は演算制御部Ｂ１３を持ち、さらに前記の画像読み取り装置Ｂ０２との間で各種のデータの授受を行なうスキャナドライバＢ１１と、前記の印刷装置Ｂ０３との間で各種のデータの授受を行なうプリンタドライバＢ１２とを持つ。
【００５２】
図２に示すフローチャートに基づいて、当該保存用データ生成システムが縮小印刷による印刷画面を出力する過程のひとつの例を説明する。フローの各ステップの説明に引用する符号は、前記の図１による。
【００５３】
ステップＳ０１でホスト装置Ｂ０１の演算制御部Ｂ１３は縮小印刷による印刷画面のサイズを設定し、ステップＳ０２に進んで縮小率を算出する。
【００５４】
すなわち、たとえばＡ４判の原稿をもとにして縮小印刷して生成する印刷画面のサイズを縦約３０ｍｍ、横約２０ｍｍと設定すれば、１／１０を縮小率として算出する。
【００５５】
ステップＳ０３で前記の演算制御部Ｂ１３はプリンタドライバＢ１２を調査して当該印刷装置Ｂ０３に設定された印刷解像度を読み取り、ステップＳ０４に進んで画像読み取り装置Ｂ０２に課すべき読取解像度を算出する。
【００５６】
すなわち、たとえば前記の印刷装置Ｂ０３に設定された印刷解像度が２０００ｄｐｉであることが判明すれば、１／１０を既に設定された縮小率として、画像読み取り装置Ｂ０２に課すべき読取解像度を２００ｄｐｉとすることがわかる。
【００５７】
ステップＳ０５で、前記の演算制御部Ｂ１３はスキャナドライバＢ１１に指示を発して、当該画像読取装置Ｂ０２が原稿を読み取る読取解像度を２００ｄｐｉに設定させる。
【００５８】
ステップＳ０６で画像読取装置Ｂ０２の解像度設定部Ｂ２２はスキャナドライバＢ１１の指示に従って読取解像度を設定し、ステップＳ０７に進んで読取機構部Ｂ２１は原稿の画像読み取りを実行し、さらにステップＳ０８に進んで当該画像読取装置Ｂ０２は前記の読取機構部Ｂ２１が読み取った読取出力値をもとに所定の解像度による画像データを生成する。
【００５９】
すなわち、たとえば前記の解像度設定部Ｂ２２が読取解像度を２００ｄｐｉに設定すれば、当該画像読取装置Ｂ０２は２００ｄｐｉの解像度による画像データを生成する。
【００６０】
ステップＳ０９で、画像読取装置Ｂ０２は前記のステップＳ０８で生成した画像データをホスト装置Ｂ０１に転送する。
【００６１】
ステップＳ１０で、ホスト装置Ｂ０１の演算制御部Ｂ１３は画像読取装置Ｂ０２より転送された画像データをスキャナドライバＢ１１より引き出し、前記の画像データをもとに印刷装置Ｂ０２の仕様に合わせた印刷データを生成する。その際、前記の画像データを構成する個々の画素に対応させて印刷データを生成する。
【００６２】
ステップＳ１１で、ホスト装置Ｂ０１は前記の生成された印刷データを印刷装置Ｂ０３に転送する。
【００６３】
ステップＳ１２で、印刷装置Ｂ０３の印刷機構部Ｂ３１は当初に設定した印刷解像度により保存用データである縮小画像を印刷出力する。
【００６４】
図３に示すフローチャートに基づいて、当該保存用データ生成システムが縮小印刷による印刷画面を出力する過程の別のひとつの例を説明する。フローの各ステップの説明に引用する符号は、前記の図１による。
【００６５】
ステップＳ２１で、ホスト装置Ｂ０１の演算制御部Ｂ１３はスキャナドライバＢ１１を検索して、画像読取装置Ｂ０２に適用されている読取解像度を調査する。
【００６６】
ステップＳ２２で、ホスト装置Ｂ０１の演算制御部Ｂ１３はプリンタドライバＢ１２を検索して、印刷装置Ｂ０３に適用されている印刷解像度を調査する。
【００６７】
ステップＳ２３で前記の読取解像度および印刷解像度をもとに縮小率を算出し、ステップＳ２４に進んで読み取り対象の原稿サイズをもとに出力サイズを設定し、ステップＳ２５に進んで保存用データとして出力する際の印刷出力位置を設定する。
【００６８】
すなわち、ここでは具体例として前記の例と同様に読取解像度が２００ｄｐｉ、印刷解像度が２０００ｄｐｉとし読取の対象とする原稿をＡ４判とすれば、縮小率が１／１０の保存用データを印刷出力するものとする。
【００６９】
ステップＳ２６で画像読取装置Ｂ０２の読取機構部Ｂ２１は原稿の画像読み取りを実行し、ステップＳ２７に進んで当該画像読取装置Ｂ０２は前記の読取機構部Ｂ２１が読み取った読取出力値をもとに所定の解像度による画像データを生成する。
【００７０】
ステップＳ２８で、画像読取装置Ｂ０２は前記の画像データをホスト装置Ｂ０１に転送する。
【００７１】
ステップＳ２９で、ホスト装置Ｂ０１の演算制御部Ｂ１３は画像読取装置Ｂ０２より転送された画像データをスキャナドライバＢ１１より引き出し、前記の画像データをもとに印刷装置Ｂ０２の仕様に合わせた印刷データを生成する。その際、前記の画像データを構成する個々の画素に対応させて印刷データを生成する。
【００７２】
ステップＳ３０で、ホスト装置Ｂ０１は前記の生成された印刷データを印刷装置Ｂ０３に転送する。
【００７３】
ステップＳ３１で、印刷装置Ｂ０３の印刷機構部Ｂ３１は当初に設定した印刷解像度により保存用データである縮小画像を印刷出力する。
【００７４】
前記の印刷データの生成において、当該画像を構成する画素の個数を変更することはない。すなわち当初に画像読取装置Ｂ０２がホスト装置に提供した画像データを構成する１個の画素が、印刷装置Ｂ０３において印刷出力する１個の画素となる。
【００７５】
読み取った画像あるいは印刷出力した画像の画像サイズは、その構成する画素の個数と画素密度（すなわち解像度の逆数）との積で表わせることから、たとえば画像読取装置Ｂ０２が２００ｄｐｉで読み取らせた画像を印刷装置Ｂ０３において２０００ｄｐｉで印刷出力させれば、縮小率が１／１０の画像となる。
【００７６】
さらに当初に読み取った画素の全てを１対１で対応させて印刷データを生成させるため、読み取り時に獲得した画像情報は損なわれることなく印刷データに反映される。
【００７７】
前記の例によるごとく、Ａ４判の原稿を１／１０の縮小率で縮小画像を生成した場合、１枚の印刷出力の中に１００枚の原稿に相当する保存用データを収納することが可能となる。
【００７８】
さらに前記の保存用データは、その生成の過程において写真撮影による作業工程を経ることがないので、外来光遮断機構などの機能を有した専用の撮影設備を準備する必要がなく、したがってデータ生成にかかる技能としての作業習熟度が不要である。
【図面の簡単な説明】
【００７９】
【図１】この発明を実施する最良の形態による構成図である。
【図２】この発明を実施する最良の形態によるフローチャートである。
【図３】この発明を実施する最良の形態によるフローチャートである。
【図４】従来の技術による構成図である。
【図５】従来の技術によるフローチャートである。
【符号の説明】
【００８０】
Ｂ０１：ホスト装置
Ｂ０２：画像読取装置
Ｂ０３：印刷装置
Ｂ１１：スキャナドライバ
Ｂ１２：プリンタドライバ
Ｂ１３：演算制御部
Ｂ２１：読取機構部
Ｂ２２：解像度設定部
Ｂ３１：印刷機構部
Ｂ３２：解像度設定部
【図１】
2005051480.tif 000003
【図２】
2005051480.tif 000004
【図３】
2005051480.tif 000005
【図４】
2005051480.tif 000006
【図５】
2005051480.tif 000007